(57)【要約】【課題】  食鳥屠体肩関節部の腱を自動的に切断する装置において使用する、食鳥屠体上半部の支持装置であって、食鳥屠体上半部を上下方向に支持すると共に、食鳥屠体上半部の上下軸線回りの回転を防止する装置を提供する。【解決手段】  頭部が切除され内蔵が除去された食鳥屠体上半部の胸腔内に下方から内嵌合して食鳥屠体上半部を上下方向に支持する上下支持部材と、上下支持部材に支持された食鳥屠体上半部の首と左右肩関節との間の左右肩部に上方から当接して食鳥屠体上半部の上下軸線回りの回転を防止する回転防止装置とを備える。【選択図】  図５
2015042138.tif 000002
【特許請求の範囲】
【請求項１】
頭部が切除され内蔵が除去された食鳥屠体上半部の胸腔内に下方から内嵌合して食鳥屠体上半部を上下方向に支持する上下支持部材と、上下支持部材に支持された食鳥屠体上半部の首と左右肩関節との間の左右肩部に上方から当接して食鳥屠体上半部の上下軸線回りの回転を防止する回転防止装置とを備えることを特徴とする食鳥屠体上半部支持装置。
【請求項２】
回転防止装置の食鳥屠体肩部との当接部は肩部外形に沿う上方に凸の湾曲部を形成していることを特徴とする請求項１に記載の食鳥屠体上半部支持装置。
【請求項３】
上下支持部材は所定方向に移動し、回転防止装置は上下支持部材の移動に連動して回転する回転円板を備え、食鳥屠体肩部との当接部は回転円板の外周部に形成された凹部であることを特徴とする請求項２に記載の食鳥屠体上半部支持装置。
【請求項４】
回転円板の外周部に周方向に互いに間隔を隔てて複数の凹部が形成されていることを特徴とする請求項３に記載の食鳥屠体上半部支持装置。
【請求項５】
上下支持部材の移動と回転円板の回転とを機械的に連動させ連動機構を備えることを特徴とする請求項３又は４に記載の食鳥屠体上半部支持装置。
【請求項６】
上下支持部材の移動方向に関して回転円板の上流側に配設されて、胸腔を上下支持部材に上方から外嵌合させた食鳥屠体上半部の肩部に上方から当接して肩部を所定高さに押し込む押込装置を備えることを特徴とする、請求項３乃至５の何れか１項に記載の食鳥屠体上半部支持装置。
【発明の詳細な説明】
【技術分野】
【０００１】
本発明は、食鳥屠体肩関節部の腱を自動的に切断する装置に使用する食鳥屠体上半部支持装置に関するものである。
【背景技術】
【０００２】
頭部が切除され内蔵が除去された食鳥屠体の上半部から胸部と手羽部とを分離する作業に先立って、食鳥屠体上半部の左右一対の肩関節部の左右一対の烏口骨上端部と左右一対の上腕骨上端部とを連結する左右複数対の腱を切断する作業が行われる。上記作業は従来人手によって行われていた。
【発明の概要】
【発明が解決しようとする課題】
【０００３】
食鳥屠体の解体作業を効率化すべく、食鳥屠体肩関節部の腱を自動的に切断する装置の開発が望まれる。当該装置においては、腱切断に際して食鳥屠体上半部を上下方向に支持すると共に、食鳥屠体上半部の上下軸線回りの回転を防止する必要がある。本発明は食鳥屠体肩関節部の腱を自動的に切断する装置において使用する、食鳥屠体上半部の支持装置であって、食鳥屠体上半部を上下方向に支持すると共に、食鳥屠体上半部の上下軸線回りの回転を防止する装置を提供することを目的とする。
【課題を解決するための手段】
【０００４】
上記課題を解決するために、本発明においては、頭部が切除され内蔵が除去された食鳥屠体上半部の胸腔内に下方から内嵌合して食鳥屠体上半部を上下方向に支持する上下支持部材と、上下支持部材に支持された食鳥屠体上半部の首と左右肩関節との間の左右肩部に上方から当接して食鳥屠体上半部の上下軸線回りの回転を防止する回転防止装置とを備えることを特徴とする食鳥屠体上半部支持装置を提供する。
【０００５】
上下支持部材が食鳥屠体上半部の胸腔内に下方から内嵌合することにより、食鳥屠体上半部を上下方向に支持することができ、回転防止装置が上下支持部材に支持された食鳥屠体上半部の首と左右肩関節との間の左右肩部に上方から当接することにより、食鳥屠体上半部の上下軸線回りの回転を防止することができる。
【０００６】
本発明の好ましい態様においては、回転防止装置の食鳥屠体肩部との当接部は肩部外形に沿う上方に凸の湾曲部を形成している。
回転防止装置の食鳥屠体肩部との当接部が肩部外形に沿う上方に凸の湾曲部を形成することにより、回転防止装置と食鳥屠体肩部との当接部の長さが大になり、回転防止装置の回転防止機能が向上する。
本発明の好ましい態様においては、上下支持部材は所定方向に移動し、回転防止装置は上下支持部材の移動に連動して回転する回転円板を備え、食鳥屠体肩部との当接部は回転円板の外周部に形成された凹部である。
多数の食鳥屠体上半部の肩関節部の腱を切断処理する場合、食鳥屠体上半部を支持した多数の上下支持部材を所定間隔で配設して所定方向へ移動させ、所定の作業ステーションで当該ステーションを通過する食鳥屠体上半部を順次処理するのが好ましい。この場合、回転防止装置を上下支持部材の移動に連動して回転する回転円板とし、食鳥屠体上半部の肩部との当接部を回転円板の外周部に形成した凹部とするのが好ましい。上下支持部材の移動に連動して回転する回転円板の外周部に凹部を形成することにより、当該凹部を食鳥屠体肩部に確実に係合させることができる。
本発明の好ましい態様においては、回転円板の外周部に周方向に互いに間隔を隔てて複数の凹部が形成されている。
互いに間隔を隔てて配設された複数の上下支持部材が所定方向に移動する場合、回転円板の外周部に周方向に互いに等間隔を隔てて複数の凹部を形成しておけば、回転円板の１回転で複数の食鳥屠体上半部の支持を連続的に行うことが可能になり、回転円板の消耗を抑制することができる。
本発明の好ましい態様においては、食鳥屠体上半部支持装置は、上下支持部材の移動と回転円板の回転とを機械的に連動させ連動機構を備える。
上下支持部材の所定方向への移動と回転円板の回転とは、それぞれ単純な運動なので、機械的な連動機構によって精度良く連動させることができる。
本発明の好ましい態様においては、食鳥屠体上半部支持装置は、上下支持部材の移動方向に関して回転円板の上流側に配設されて、胸腔を上下支持部材に上方から外嵌合させた食鳥屠体上半部の肩部に上方から当接して肩部を所定高さまで押し込む押込装置を備える。
食鳥屠体上半部の上下支持部材への外嵌合作業は、作業員が人手で行うが、一人の作業員が移動する多数の上下支持部材に食鳥屠体上半部を順次外嵌合させるので、一羽当たりの作業時間を充分にとることができず、食鳥屠体上半部を上下支持部材に充分に押し込むことができない。従って、胸腔を上下支持部材に上方から外嵌合させた食鳥屠体上半部の肩部に上方から当接して食鳥屠体上半部を上下支持部材に押し込む装置を配設する必要がある。当該押込装置は、食鳥屠体上半部の肩部を、回転防止装置を形成する回転円板の凹部との係合に適した所定高さまで押し込む。
【図面の簡単な説明】
【０００７】
【図１】食鳥屠体肩関節部の腱の模式図である。
【図２】本発明の実施例に係る食鳥屠体上半部支持装置を備える食鳥屠体肩関節部腱切断装置の全体図である。（ａ）は側面図であり、（ｂ）は上面図であり、（ｃ）は（ａ）のｃ−ｃ矢視図である。
【図３】図１の食鳥屠体肩関節部腱切断装置が備える第１切断刃の構成図である。（ａ）は側面図であり、（ｂ）は上面図であり、（ｃ）は（ａ）のｃ−ｃ矢視図である。
【図４】第１切断刃による背側腱切断の効果を示す食鳥屠体上半部の上面図である。（ａ）は背側腱切断前の状態を示し、（ｂ）は背側腱切断後の状態を示す。
【図５】図１の食鳥屠体肩関節部腱切断装置が備える回転防止装置の構成図である。（ａ）は側面図であり、（ｂ）は（ａ）のｂ−ｂ矢視図である。
【図６】図１の食鳥屠体肩関節部腱切断装置が備える第２切断刃の作動を示す図である。（ａ）は側面図であり、（ｂ）は（ａ）のｂ−ｂ矢視図である。
【発明を実施するための形態】
【０００８】
本発明の実施例に係る食鳥屠体上半部支持装置を備える食鳥屠体肩関節部腱切断装置を説明する。
【０００９】
図１に示すように、食鳥屠体上半部１００の左右一対の肩関節部において、左右一対の烏口骨上端部と左右一対の上腕骨上端部とが、左右一対の背側腱と、左右一対の上部腱と、左右一対の胸側腱とで連結されている。頭部が切除され内蔵が除去された食鳥屠体の上半部から胸部と手羽部とを分離する作業に先立って、左右一対の肩関節部の前記左右一対の背側腱と、左右一対の上部腱と、左右一対の胸側腱とを切断する。本実施例に係る食鳥屠体肩関節部腱切断装置を用いて、左右一対の肩関節部の上記左右一対の背側腱と、左右一対の上部腱と、左右一対の胸側腱とを自動的に切断することができる。
以下の説明において、図１〜６の矢印Ｉ、ＩＩ、ＩＩＩ、ＩＶ、Ｖ、ＶＩの方向を前方、後方、左方、右方、上方、下方と呼ぶ。
【００１０】
図２に示すように、食鳥屠体肩関節部腱切断装置Ａは、上側走行部が矢印αの方向、即ち前方へ走行する無端ベルトコンベア１に等間隔で固定された多数の三角錐形状の上下支持部材２を備えている。食鳥屠体肩関節部腱切断装置Ａは、更に、無端ベルトコンベア１上側走行部の上方に配設され、且つ無端ベルトコンベア１上側走行部の走行方向に関して上流側から下流側へ向けて順次配設された、押込装置３、肩関節位置検知装置４、第１切断刃５、回転防止装置６、第２切断刃７を備えている。
無端ベルトコンベア１上側走行部の走行方向に関して押込装置３よりも上流側で、作業員が、頭部が切除され内蔵が除去された食鳥屠体上半部１００を手に持ち、無端ベルトコンベア１の上側走行部から上方へ突出する上下支持部材２に、背側又は胸側を前方へ差し向けて食鳥屠体上半部１００の胸腔を上方から外嵌合させる。尚図１〜６及び以下の説明においては、便宜上、食鳥屠体上半部１００は、背側を前方へ差し向けて、上下支持部材２に外嵌合しているものとする。
【００１１】
押込装置３は、図２から判るように、左右方向に延在する軸によって回転可能に支持された左右一対の従動回転円板３ａを備えている。
一人の作業員が移動する多数の上下支持部材２に食鳥屠体上半部１００を順次外嵌合させるので、一羽当たりの作業時間を充分にとることができず、食鳥屠体上半部１００を上下支持部材２に充分に押し込むことができない。
押込装置３の左右一対の従動回転円板３ａは、食鳥屠体上半部１００の左右一対の肩部に上方から当接し、後述する切断刃５、７との係合や回転防止装置６を形成する回転円板の凹部との係合に適した所定高さまで左右一対の肩部を押し込む。
押込装置３は、次々に到着する食鳥屠体上半部１００の肩部を順次押し込む。
【００１２】
肩関節位置検知装置４は、左右軸線回りと上下軸線回りとに回転可能な左右一対の腕部材４ａと、腕部材４ａの前端部が下方へ移動するように腕部材４ａを付勢する左右一対の図示しないバネと、腕部材４ａ前端部の最下位置を規定する図示しない左右一対のストッパーと、腕部材４ａ前端部のコンベア１上側走行部からの垂直距離を検知する左右一対の図示しない第１検知装置と、腕部材４ａ前端部のコンベア１上側走行部からの水平距離を検知する左右一対の図示しない第２検知装置とを備えている。
肩関節位置検知装置４は、バネで下方へ付勢された腕部材４ａ前端近傍部を、移動中の食鳥屠体１００の肩関節近傍部に上方から押し当て、上腕骨上端部または烏口骨上端部の丸みに沿って腕部材４ａ前端近傍部を肩関節部の窪みへ移動させ、移動中の食鳥屠体１００の肩関節部窪みに腕部材４ａ前端部の下向きの突部が当接して乗り上げた時の腕部材４ａ前端部のコンベア１上側走行部からの垂直距離と水平距離とを検知する。検知した垂直距離と水平距離とが、肩関節部のコンベア１上側走行部からの垂直距離と水平距離である。
肩関節位置検知装置４は、次々に到着する食鳥屠体上半部１００の肩関節部位置を順次検知する。
肩関節位置検知装置４の構造詳細は、特開２０１１−１７７０９６号公報に開示されている。
【００１３】
図３に示すように、第１切断刃５は左右一対の回転刃５ａと、左右一対の回転刃５ａを回転駆動する左右一対のモータ５ｂと、左右一対の回転刃５ａを、図３（ｂ）で二重矢印で示す方向に、上下軸線回りに揺動させる図示しない左右一対の揺動付勢装置と、肩関節位置検知装置４が検知した左右の肩関節部位置に左右の回転刃５ａを自動的に位置決めする図示しない回転刃位置決め装置とを備えている。
食鳥屠体上半部１００が回転刃５ａに到着する前に、肩関節位置検知装置４の検知信号を受けて、回転刃位置決め装置が、左右の回転刃５ａを、左右の肩関節部位置に位置決めする。
第１切断刃５の直近後方に、換言すれば無端ベルトコンベア１上側走行部の走行方向に関して第１切断刃５の直近上流に、コイル８ａと可動鉄心８ｂとを備える接触式変位センサー８が配設されている。可動鉄心８ｂの先端が前方へ移動する食鳥屠体上半部１００の肩部に接触することにより、食鳥屠体上半部１００が第１切断刃５の配設位置に到着したことを接触式変位センサー８が検知する。接触式変位センサー８の検知信号を受けて左右一対のモータ５ｂが始動し、回転する左右一対の回転刃５ａが、食鳥屠体上半部１００の左右一対の肩関節部の背側に当接し、左右一対の背側腱と上部腱の背側の一部とを切断すると共に、腱近傍の皮と肉とを浅く且つ比較的長く切断する。切断直後に、左右一対の揺動付勢装置が作動して左右一対の回転刃５ａは前方左右方向へ揺動し、食鳥屠体上半部１００から離れる。食鳥屠体上半部１００が前方へ移動して第１切断刃配設位置から離れると、左右一対の回転刃５ａは後方へ揺動して肩関節位置に戻る。
回転刃５ａは、次々に到着する食鳥屠体上半部１００の肩関節部の背側腱と上部腱の背側の一部とを順次切断する。
【００１４】
図４に示すように、第１切断刃５の回転刃５ａが烏口骨上端部と上腕骨上端部とを連結する背側腱、上部腱、胸側腱中の背側腱と上部腱の背側の一部とを切断すると、上腕骨が残余の胸側腱に引っ張られて、切断した腱の近傍部が口開く。
回転刃５ａは、烏口骨上端部と上腕骨上端部とを連結する複数対の腱中の背側腱と上部腱の背側の一部のみならず、当該腱近傍の皮膚と肉とを浅く且つ比較的長く切断するので、切断した腱の近傍部が確実に口開く。
【００１５】
回転防止装置６は、図２、５に示すように、左右一対の回転円板６ａを備えている。回転防止装置６は更に、ベルトコンベア１上側走行部の駆動チェーン１ａに作動係合するスプロケット６ｂと、スプロケット６ｂの回転軸６ｃと回転円板６ａの回転軸６ｄとを所定の回転数比で作動係合させる無端チェーン６ｅとから成る回転円板駆動装置６ｆを備えている。回転円板６ａの外周部に、周方向に互いに等間隔を隔てて３個の凹部６ｇが形成されている。凹部６ｇの形状は食鳥屠体上半部の肩部の外形に沿う湾曲形状とされている。回転円板駆動装置６ｆにより、左右一対の回転円板６ａは上下支持部材２の移動に連動して、ひいては食鳥屠体上半部１００の移動に連動して、図２（ａ）、図５（ａ）で二重矢印で示す方向に回転し、食鳥屠体上半部１００の左右一対の肩部を左右一対の凹部６ｇ内に受け入れ、首と左右一対の肩関節部との間の左右一対の肩部に左右一対の凹部６ｇが上方から当接し、上下支持部材２と協働して食鳥屠体上半部１００の上下軸線回りの回転を防止する。上下支持部材２の移動に連動して回転する回転円板６ａの外周部に形成された凹部６ｇは、食鳥屠体上半部１００の肩部に確実に係合することができる。
周方向に互いに等間隔を隔てて回転円板６ａの外周部に形成された３個の凹部６ｇが、次々に到着する食鳥屠体上半部１００の肩部に順次当接し、食鳥屠体上半部１００の上下軸線回りの回転を防止する。回転円板６ａの１回転で複数の食鳥屠体上半部１００の支持を連続的に行うことが可能であり、回転円板６ａの消耗が抑制される。
凹部６ｇは、食鳥屠体上半部の肩部の外形に沿う湾曲形状なので、食鳥屠体肩部との当接部の長さが大であり、回転防止機能に優れる。
上下支持部材２の前方への移動と回転円板６ａの回転とは、それぞれ単純な運動なので、上述の機械的な連動機構によって精度良く連動させることができる。
【００１６】
回転円板６ａの回転軸６ｄに固定された円板の外周縁部に周方向に互いに等間隔を隔てて３個のセンサードグ９ａが固定されている。センサードグ９ａと凹部６ｇとは周方向に互いに６０度ずれて配設されている。最上位置にあるセンサードグ９ａに正対して近接センサー９ｂが配設されている。回転円板６ａの何れかの凹部６ｇが食鳥屠体１００の肩部に上方から当接している時、前記凹部６ｇから周方向に１８０度隔たったセンサードグ９ａが最上位置にあり、近接センサー９ｂが前記センサードグ９ａの接近を検知し、ひいては回転円板６ａの凹部６ｇが食鳥屠体上半部１００の肩部に上方から当接して食鳥屠体上半部１００の上下軸線回りの回転を防止していることを検知する。
【００１７】
第２切断刃７は、図２（ａ）、図６に示すように、左右一対の直進刃７ａと、直進刃７ａを上下駆動する図示しない直進刃駆動装置と、肩関節位置検知装置４が検知した左右の肩関節部位置の上方に直進刃７ａを位置決めする図示しない直進刃位置決め装置とを備えている。食鳥屠体上半部１００が直進刃７ａの配設位置に到着する前に、肩関節位置検知装置４の検知信号を受けて、直進刃位置決め装置が、左右の直進刃７ａを、左右の肩関節部位置の上方に位置決めする。近接センサー９ｂの検知信号を受けて、直進刃駆動装置が作動し、左右一対の直進刃７ａが、上方から食鳥屠体上半部の左右一対の肩関節部に接近し、左右一対の回転刃５ａが形成した左右一対の肩部の口開き部に案内されて左右一対の肩関節部に進入し、左右一対の回転刃５ａが切り残した残余の腱を切断する。食鳥屠体上半部１００の上下軸線回りの回転が防止されているので、直進刃７ａは肩関節部の口開き部に確実に進入することができ、残余の腱を確実に切断することができる。この結果、左右一対の肩関節部の左右一対の背側腱、上部腱、胸側腱が、完全に切断される。腱切断直後に、直進刃７ａは上方へ移動し、食鳥屠体上半部１００から離れる。
直進刃７ａは、次々に到着する食鳥屠体上半部１００の肩関節部の残余の腱を順次切断する。
【００１８】
上記実施例では、背側を前方へ差し向けて、食鳥屠体上半部１００を上下支持部材２に外嵌合させたが、胸側を前方へ差し向けて、食鳥屠体上半部１００を上下支持部材２外嵌合させても良い。
【産業上の利用可能性】
【００１９】
本発明は、食鳥屠体肩関節部の腱を切断する作業に広く利用可能である。
【符号の説明】
【００２０】
１  無端ベルトコンベア
２  上下支持部材
３  押込装置
４  肩関節位置検知装置
５  第１切断刃
６  回転防止装置
７  第２切断刃
８  接触式変位センサー
９ａ  センサードグ
９ｂ  近接センサー
【図１】
2015042138.tif 000003
【図２】
2015042138.tif 000004
【図３】
2015042138.tif 000005
【図４】
2015042138.tif 000006
【図５】
2015042138.tif 000007
【図６】
2015042138.tif 000008